(57)【要約】      （修正有）【課題】一つのカバンを活用して多様なデザインと色感及び素材を演出でき、取扱いが容易で使用が便利であり、保管が容易である脱着式カバンを提供する。【解決手段】上端部に取っ手１１が形成され、その下端わくに第１連結ジッパー１２が形成された上部胴体１０と、前記上部胴体１０の第１連結ジッパー１２にかみ合ってジッパー連結される第２連結ジッパー２１が上端部わくに用意されて、内部空間を有する下部胴体２０を含んで構成される。【選択図】図２
0003161396.tif 000002
【実用新案登録請求の範囲】
【請求項１】
上端部に取っ手１１、３１が形成され、内部空間を有し、その下端わくに第１連結ジッパー１２、３２を形成した上部胴体１０、３０と、
内部空間を有し、その上端部わくに前記第１連結ジッパー１２、３２と噛合してジッパー連結可能な第２連結ジッパー２１、４１を形成した下部胴体２０、４０と、
を含んで構成されるジッパーを利用した脱着式カバン。
【請求項２】
前記取っ手１１は、上部胴体１０の上端部と一体型に形成した一体型構造であることを特徴とする請求項１に記載のジッパーを利用した脱着式カバン。
【請求項３】
前記取っ手３１は、上部胴体３０の上端部両端にそれぞれ着脱可能に連結した分離型構造であることを特徴とする請求項１に記載のジッパーを利用した脱着式カバン。
【請求項４】
前記上部胴体３０が内皮５０をさらに具備し、内皮５０の上端部を上部胴体３０の内側上端部に連結していて、内皮５０の下端部が上部胴体３０の下端部から突出していて密閉構造を呈することを特徴とする請求項３に記載のジッパーを利用した脱着式カバン。
【請求項５】
前記内皮５０の一側に補助袋６０をさらに具備することを特徴とする請求項４に記載のジッパーを利用した脱着式カバン。
【請求項６】
前記補助袋６０は上端部が開放されて内部空間を有する袋構造を呈していて、内皮５０の一部を切開して補助ジッパー６１を設置し、補助ジッパー６１に前記補助袋６０の開放された上端部を連結し、補助ジッパー６１の開閉を通じて補助袋６０の上端部を開閉できるように構成したことを特徴とする請求項５に記載のジッパーを利用した脱着式カバン。
【請求項７】
前記第１、第２連結ジッパー３２、４１の外側部に覆い３５、４５を形成し、これらの覆い３５、４５により第１、第２連結ジッパー３２、４１の連結時に、第１、第２連結ジッパー３２、４１が外部に露出しないように隠蔽するようにしたことを特徴とする請求項１に記載のジッパーを利用した脱着式カバン。
【請求項８】
前記上部胴体３０の上端部に開閉ジッパー３７をさらに設け、開閉ジッパー３７の開閉により上部胴体３０の上端部を開閉するように構成したことを特徴とする請求項１に記載のジッパーを利用した脱着式カバン。
【請求項９】
前記第１、第２連結ジッパー３２、４１は、鉄材で形成されていることを特徴とする請求項１に記載のジッパーを利用した脱着式カバン。
【請求項１０】
前記下部胴体４０の底面の各コーナー部に下敷突起４７を具備したことを特徴とする請求項１に記載のジッパーを利用した脱着式カバン。
【考案の詳細な説明】
【技術分野】
【０００１】
本考案は、ジッパー（スライドファスナー）を利用した脱着式カバンに関するものであり、より詳細には、カバンを上部胴体と下部胴体に分離構成していて、これらをジッパーで連結することで、ジッパーを通じて多様なデザインの下部胴体を着脱できるようになっていて、一つのカバンを活用して多様なデザインと色感及び素材を演出できることはもちろん、その取り扱いが容易で使用が便利であり、また保管が容易であるジッパーを利用した脱着式カバンに関するものである。
【背景技術】
【０００２】
一般に、ハンドバッグは主に女性が使用するカバンとして化粧品などの多様な女性用小品を携帯することもできてる。またこれ以外にも財布や図書などを携帯することもできるように多様な大きさを有している。さらにカバンはデザイン及び色相を通じてその美麗感も取り揃えてアクセサリー機能をもった女性の必需品である。
このようなハンドバッグの構造を概略的に説明すると、ハンドバッグはその上端部が開放されていて、その内部が空いた内部空間を有するカバン構造となっている。たいてい上端開放部の両端に紐をつけて手に持つか、または肩にかけて携帯するようにするなっている。またはドレッシーな身なりに似合うようにするために紐をつけないで手に持つことができるように紐を無くす構造も提案されている。
その素材としては、皮、ビニール、布地、竹、藤、ビーズなど多様な素材で製作されていて、実用的な要素が強いアクセサリーとして服装のデザインと密接な関連を有する。
【考案の概要】
【考案が解決しようとする課題】
【０００３】
しかしながら、このような従来のハンドバッグは、その構造上、たくさんの種類の模様と材質の製品が有るものの、使用者自身の趣向に起因して、往々にして購入する製品が同一の模様を購入しがちである。そのため、似たハンドバッグの購買に伴う支出が大きくなるといった問題点があった。
【０００４】
さらに、既存の市販されているカバン用アクセサリーは、単純にカバンの外形飾りであるだけであり、カバンの全体的なデザインやカラー（ｃｏｌｏｒ）または素材などに変化を与えることができなかった。
【０００５】
また、カバンの構造的な特徴上、素材が限定されているために、多様なデザインを表現しにくい点がある。そのために、限定されたデザインでこのような素材やカラーの変化を願う都度、新しいカバンを購入しなければならないといった煩わしさと消費支出が増える等の問題点を有していた。
【０００６】
本考案は、このような問題点を解決するために成されたものであり、本考案はカバンを上部胴体と下部胴体に分離して構成して、これらをジッパーで連結させることができるようにすることで、ジッパーを通じて多様なデザインの下部胴体を脱着できるようになって、一つのカバンを活用して多様なデザインと色感及び素材を演出することができることはもちろん、その取り扱いが容易で使用が便利であって、また保管が容易になるジッパーを利用した脱着式カバンを提供することを目的とする。
【課題を解決するための手段】
【０００７】
前記目的を達成するため、本考案に係るジッパーを利用した脱着式カバンは、上端部に取っ手が用意されて上下に貫通されて、その下端わくに第１連結ジッパーが用意された上部胴体と、及び前記上部胴体の第１連結ジッパーにかみ合ってジッパー連結される第２連結ジッパーが上端部わくに用意されて、内部空間を有する下部胴体を含んで構成される。
また、本考案によるジッパーを利用した脱着式カバンにおいて、前記取っ手は上部胴体の上端部と一体型で形成された一体型構造であることが望ましい。
また、本考案によるジッパーを利用した脱着式カバンにおいて、前記取っ手は上部胴体の上端部両端にそれぞれ着脱可能に連結される分離型構造であることが望ましい。
また、本考案によるジッパーを利用した脱着式カバンにおいて、前記上部胴体の内側上端部にその上端部が連結されて、その下端部が上部胴体の下端部に貫通突き出されて密閉された構造を有する内皮がさらに具備されることが望ましい。
また、本考案によるジッパーを利用した脱着式カバンにおいて、前記内皮の一側に補助袋がさらに具備されることが望ましい。
また、本考案によるジッパーを利用した脱着式カバンにおいて、前記補助袋は上端部が開放されて内部空間を有する袋構造でなされて、これに対応される内皮の一側を切開して補助ジッパーを設置した後、この補助ジッパーに前記補助袋の開放された上端部を連結させて、補助ジッパーの開閉を通じて、その上端部が開閉されるようになされることが望ましい。
また、本考案によるジッパーを利用した脱着式カバンにおいて、前記第１、第２連結ジッパーの外側部に、これら第１、第２連結ジッパーの連結時、これらが外部に露出されないように隠蔽させる覆いがそれぞれ具備されることが望ましい。
また、本考案によるジッパーを利用した脱着式カバンにおいて、前記上部胴体の開放された上端部を開閉させるための開閉ジッパーがさらに具備されることが望ましい。
また、本考案によるジッパーを利用した脱着式カバンにおいて、前記第１、第２連結ジッパーは鉄材でなされることが望ましい。
また、本考案によるジッパーを利用した脱着式カバンにおいて、前記下部胴体の底面各コーナー部に下敷突起がそれぞれ具備されることが望ましい。
【考案の効果】
【０００８】
本考案に係るジッパーを利用した脱着式カバンにあっては、カバンを上部胴体と下部胴体に分離構成して、これらをジッパーで連結させることができるようにすることで、ジッパーを通じて多様なデザインの下部胴体を脱着できる。
したがって、一つのカバンを活用して多様なデザインと色感及び素材を演出できることはもちろん、その取り扱いが容易で使用が便利であり、また保管が容易になるなどの効果を得ることができる。
【図面の簡単な説明】
【０００９】
【図１】本考案の一実施例によるジッパーを利用した脱着式カバンを示した概略斜視図である。
【図２】本考案の一実施例によるジッパーを利用した脱着式カバンの上、下部胴体が分離された状態を示した概略斜視図である。
【図３】本考案の一実施例によるジッパーを利用した脱着式カバンを示した概略平面図である。
【図４】本考案の一実施例によるジッパーを利用した脱着式カバンの下部胴体を側面と底面に展開させた状態を示した概略図である。
【図５ａ】本考案の一実施例によるジッパーを利用した脱着式カバンの多様な変形例を示した概略図である。
【図５ｂ】本考案の一実施例によるジッパーを利用した脱着式カバンの多様な変形例を示した概略図である。
【図５ｃ】本考案の一実施例によるジッパーを利用した脱着式カバンの多様な変形例を示した概略図である。
【図５ｄ】本考案の一実施例によるジッパーを利用した脱着式カバンの多様な変形例を示した概略図である。
【図６】本考案の他の実施例によるジッパーを利用した脱着式カバンを示した概略斜視図である。
【図７】本考案の他の実施例によるジッパーを利用した脱着式カバンを示した概略分解斜視図である。
【考案を実施するための形態】
【００１０】
以下に図面を参照しながら本考案に係るジッパーを利用した脱着式カバンについて詳しく説明する。
【００１１】
図１乃至図７を参照する。本考案の一実施例に係るジッパーを利用した脱着式カバンは、上端部に取っ手１１、３１を有し、内部に空間を有する上部胴体１０、３０と、内部空間を有する下部胴体２０、４０とにより構成でなされている。
【００１２】
上部胴体１０、３０の上端部には取っ手１１、３１が形成されている。
上部胴体１０、３０の下端わくには第１連結ジッパー１２、３２が設けられている。
下部胴体２０、４０の上端わくには第２連結ジッパー２１、４１が設けられている。
第１連結ジッパー１２、３２と第２連結ジッパー２１、４１は互いに噛み合って着脱可能である。
【００１３】
図１乃至図４で示した実施例について説明すると、ジッパーを利用した脱着式カバンは、前記取っ手１１が上部胴体１０の上端部と一体型に形成された一体型構造となっている。
下部胴体２０はその内部空間に直接身のまわりの品を収納して携帯できるように下部胴体２０の下端部が密閉構造になっている。
【００１４】
上部胴体１０と下部胴体２０とがジッパーで連結された状態で、カバンの内部空間を開閉できるように、上部胴体１０または下部胴体２０一部に別途の開閉ジッパー（図示せず）を設けてもよい。
【００１５】
前記上部胴体１０および下部胴体２０は、それぞ開口端にそれぞれ第１、第２連結ジッパー１２、２１を有していて、これらの第１、第２連結ジッパー１２、２１を通じてお互いに連結するとカバンになり、またお互いを分離すると新しいカバンを演出することができるものである。
【００１６】
本考案に係る脱着式カバンは、上部胴体１０及び下部胴体２０、４０を単独で使用することなく、第１、第２連結ジッパー１２、２１を介して上部胴体１０及び下部胴体２０をお互いに連結することで一つのカバン製品になることを特徴とする。
【００１７】
図５ａ乃至図５ｄは、ひとつの上部胴体１０に対して、下部胴体２０を円形や台形形状等の下部胴体２０を連結してカバンを多様に変形させた例を示したものである。
前記下部胴体２０は多様な素材と色感で製作することが可能である。これに対応される上部胴体１０もデザインや素材及び色相を多様に変形させることができる。
【００１８】
つぎに図６及び図７で示した実施例について説明する。本考案の他の実施例に係るジッパーを利用した脱着式カバンは、上部胴体３０の上端部の両端に設けた取っ手３１がそれぞれ連結輪等を介して着脱可能に連結した分離型構造となっている。
取っ手３１は、分離型構造以外に一体型であってもよい。
【００１９】
上部胴体３０には袋構造を有する内皮５０が具備されている。内皮５０の内側上端部の開放された上端部は上部胴体３０の片側に連結されていて、その下端部が上部胴体３０の下端部から下方へ突出している。内皮５０の底部は密閉されていて、所謂袋構造を呈する。
【００２０】
内皮５０の一側には補助袋６０が具備されている。この補助袋６０は上端部が開放されて内部空間を有する袋構造になっている。補助袋６０にはその一部を切開して補助ジッパー６１が設置してある。この補助ジッパー６１に前記補助袋６０の開放された上口端部を連結してある。そして、補助ジッパー６１の開閉を通じて補助袋６０の上端部を開閉できるようになっている。
【００２１】
上部胴体３０の下端わくには第１連結ジッパー３２が設けられ、下部胴体４０の上端わくには第２連結ジッパー４１が設けられていて、第１連結ジッパー３２と第２連結ジッパー４１を互いに噛合して着脱可能しなっている。
【００２２】
前記第１、第２連結ジッパー３２、４１の外側部には、これら第１、第２連結ジッパー３２、４１の連結時にジッパーが外部に露出しないように隠蔽するための覆い３５、４５がそれぞれ形成されている。
上部胴体３０の下端部と下部胴体４０のそれぞれの素材をさらに延長して覆い３５、４５が形成されていて、覆い３５、４５により前記第１、第２連結ジッパー３２、４１を被せる構造になっている。
【００２３】
前記上部胴体３０の開放された上端部には、この上端部を開閉するための開閉ジッパー３７が具備されている。
開閉ジッパー３７を開放することで、内皮５０と補助袋６０と胴体３０，４０の各空間へ収納することが可能である。
【００２４】
一方、前記上部胴体３０及び下部胴体４０は、羊皮等の材質を使い、第１、第２連結ジッパー３２、４１は金属や樹脂等で製作する。前記下部胴体４０の底面の各コーナー部には、床面等と触れ合って下部胴体４０の底面が汚くなったり、底面が傾くことを防止するために下敷突起４７がそれぞれ設けられている。
【００２５】
このような構成の本考案の他の実施例によるジッパーを利用した脱着式カバンは、上部胴体３０の第１連結ジッパー３２と下部胴体４０の第２連結ジッパー４１をお互いに連結することでカバンの組み立てが完了する。
【００２６】
この時、前記第１、第２連結ジッパー３２、４１は、それぞれの覆い３５、４５に被せられて外部に露出してないで、カバンの外観がきれいである。
【００２７】
このような状態でカバンの内部に携帯品を収納しようとする場合には、上部胴体３０の開閉ジッパー３７を開いて、内皮５０の内部に前記携帯品などを投入して保管することができる。
【００２８】
そして、前記開閉ジッパー３７を開ければ、その内部に補助ジッパー６１が露出し、この補助ジッパー６１を開放して補助袋６０にもその用途及び大きさにあう小さな品物（小銭や筆記具など）を収納して保管することができる。
【００２９】
本考案のカバンを底面に置いたときは、下部胴体４０の底面の下敷突起４７によって、この下部胴体４０が床面に着いてカバンの底面が汚れたり、傾いて傷つくことを防止できる。
【００３０】
カバンを他のデザインや色相等に代えてカバンを演出する場合には、上部胴体３０から既存の下部胴体４０を分離し、新しい下部胴体４０に入替えて使用する。
したがって、カバンを多様で千変万化したデザイン及び色相を演出することができる。
【００３１】
以上は本考案の望ましい実施例を一例にして説明したが、前記実施例を既存の公知技術と単純に寄せ集めて適用した実施例は、もちろん本考案の実用新案登録請求範囲に含まれるものであり、さらに当業者が本考案を変形できる程度の技術も本考案の技術範囲に当然含まれるべきものである。
【符号の説明】
【００３２】
１０  上部胴体
１１  取っ手
１２  第１連結ジッパー
２０  下部胴体
２１  第２連結ジッパー
３０  上部胴体
３１  取っ手
３２  第１連結ジッパー
３５  覆い
３７  開閉ジッパー
４０  下部胴体
４１  第２連結ジッパー
４５  覆い
４７  下敷突起
５０  内皮
６０  補助袋
６１  補助ジッパー
【図１】
0003161396.tif 000003
【図２】
0003161396.tif 000004
【図３】
0003161396.tif 000005
【図４】
0003161396.tif 000006
【図５ａ】
0003161396.tif 000007
【図５ｂ】
0003161396.tif 000008
【図５ｃ】
0003161396.tif 000009
【図５ｄ】
0003161396.tif 000010
【図６】
0003161396.tif 000011
【図７】
0003161396.tif 000012